(57)【特許請求の範囲】
【請求項１】
被検者が覗くこととなる検眼窓の周囲に被検眼の前眼部を照明するための光源が配設された検眼ユニットを有する自覚式検眼装置であって、
前記光源は、前記光源から発せられる光を透過させる光透過性の被覆部材で覆われ、かつ前記光源は、複数の発光素子が前記検眼窓の周縁に沿って環状に配置されていることを特徴とする自覚式検眼装置。
【請求項２】
前記被覆部材は、前記光源から発せられる光を乱反射させるための拡散面を有していることを特徴とする請求項１に記載の自覚式検眼装置。
【請求項３】
前記被覆部材は、半透明媒質からなっていることを特徴とする請求項１または２に記載の自覚式検眼装置。
【請求項４】
前記光源から発せられた照明光は、所定の光学素子を経由して少なくとも一度照射方向を変えて前記被検眼に照射されることを特徴とする請求項１から３のうちのいずれか１項に記載の自覚式検眼装置。
【発明の詳細な説明】
【０００１】
【発明の属する技術分野】
本発明は、被検眼の前眼部を照明するための光源が検眼窓の周囲に配置された検眼ユニットを有する自覚式検眼装置に関する。
【０００２】
【従来の技術】
従来より自覚式検眼装置を用いて視機能検査を行うにあたっては、まず被検眼が検眼ユニットに対して正しく対置しているかどうか確認している。すなわち、被検眼の前眼部を照明して、例えば角膜頂点と検眼ユニットの検眼窓（覗き窓）との間の距離が適正であるかどうか検者が観測し調整するようにしている。
【０００３】
このため、図１７乃至図１９に示すように、検眼ユニット１０１の被検者側の検眼窓１０２の周囲には、例えば円環状に少なくとも６個のＬＥＤ１０３が、円環状の金属部材１０４の溝部に固定されて、検眼窓１０２の軸の周りに等角度間隔で配置され、観測時には被検者の前眼部へ向けて、均一に照明するために正面から照明光が照射され、検者は角膜頂点付近を横方向から観測しながら上記距離が適正な値となるように、装置の調節を行う。
【０００４】
【発明が解決しようとする課題】
しかしながら、上記ＬＥＤ１０３は、露出しており、被検者は各ＬＥＤ１０３から鋭い照明光を直接受けるので、眩しいために不快感や恐怖感を覚えるという問題がある。
【０００５】
また、近くの光源のＬＥＤ１０３に注意が向いて、ここに焦点を合わせてしまいやすいので、比較的遠くにある視標提示装置の視標を見て視機能検査を行う際に、いわゆる「機械近視」の影響が強くなって正確な視機能検査の妨げになるという問題がある。
【０００６】
また、上記ＬＥＤ１０３が取り付けられた箇所においては形状が複雑となるので、埃等が溜まり易いにもかかわらず、細部まで完全に清掃を行うことが困難であるという問題がある。
【０００７】
そこで、本発明は上記事情に鑑みてなされたものであり、被検者が安心して楽に正確な視機能検査を受けることができ、かつ清掃も容易な自覚式検眼装置を提供することを目的とする。
【０００８】
【課題を解決するための手段】
上記課題を解決するために、請求項１に記載の発明は、被検者が覗くこととなる検眼窓の周囲に被検眼の前眼部を照明するための光源が配設された検眼ユニットを有する自覚式検眼装置であって、前記光源は、前記光源から発せられる光を透過させる光透過性の被覆部材で覆われ、かつ前記光源は、複数の発光素子が前記検眼窓の周縁に沿って環状に配置されていることを特徴とする。
【０００９】
これにより、検眼窓の周縁に沿って環状に配置された複数の発光素子でなる光源は、光透過性の被覆部材で覆われているので光源から発せられる光は散乱によってややぼやけて柔らかい印象の照明光となるため、不快感や恐怖感が和らぎ、被検者は安心し楽な状態で視機能検査を受けることができる。
【００１０】
したがって、光源への注意も逸れるので、機械近視の影響も低減され、正確に視機能検査を行うことができる。
【００１１】
また、光源を被覆部材で覆うので、清掃も簡単であり、清潔感を増進させることができる。
【００１２】
また、光源が配置された部位以外からも光が例えば多重反射されて射出されてくるので、少ない光源でも均一に照明することができる。
【００１５】
上記課題を解決するために、請求項２に記載の発明は、請求項１に記載の自覚式検眼装置であって、前記被覆部材は、前記光源から発せられる光を乱反射させるための拡散面を有していることを特徴とする。
【００１６】
これにより、光源から発せられる光は被覆部材の拡散面で乱反射して被検眼に達するので、一段と柔らかい印象の照明光となり、不快感や恐怖感が和らぎ、被検者は安心して視機能検査を受けることができる。
【００１７】
上記課題を解決するために、請求項３に記載の発明は、請求項１または２に記載の自覚式検眼装置であって、前記被覆部材は、半透明媒質からなっていることを特徴とする。
【００１８】
これにより、被覆部材は半透明媒質からなっているので、一段と柔らかい印象の照明光となり、不快感や恐怖感が和らぎ、被検者は安心して視機能検査を受けることができる。
【００１９】
上記課題を解決するために、請求項４記載の発明は、請求項１から３のうちのいずれか１項に記載の自覚式検眼装置であって、前記光源から発せられた照明光は、所定の光学素子を経由して少なくとも一度照射方向を変えて前記被検眼に照射されることを特徴とする。
【００２０】
これにより、光源から発せられた照明光は、所定の光学素子を経由して一旦照射方向を変えて、間接的に被検眼に照射されるので、一段と柔らかい印象の照明光となり、不快感や恐怖感が和らぎ、被検者は安心して視機能検査を受けることができる。
【００２１】
【発明の実施の形態】
以下、本発明の実施の形態を図面を参照して詳細に説明する。
実施の形態１．
図１は、本発明の実施の形態１による自覚式検眼装置の構成を示す検者側から見た正面図、図２は同自覚式検眼装置の使用状態を示す斜視図、図３は同自覚式検眼装置の構成を模式的に示す断面図、図４は同自覚式検眼装置を構成する検眼ユニットを被検者側から見た背面図、図５は図４のＡ部を拡大して示す拡大図、図６は図５のＢ−Ｂ線に沿った断面図、図７は図６のＣ部を拡大して示す拡大断面図、図８は視標提示装置の構成を示す図、図９は同自覚式検眼装置の電気的構成を示すブロック図である。
【００２２】
図１乃至図７に示すように、この実施の形態１による自覚式検眼装置１は、検眼テーブル２上に移動可能に配置された各種検眼情報の入力操作を行うための多数のキーを備えた操作部３及び各種検眼情報の表示を行う液晶ディスプレイ等で構成された表示部４と、検眼テーブル２の隅部から立設した上下方向に伸縮可能な支柱５及び支柱５の軸の周りに回動可能に取り付けられた横アーム６によって、検眼テーブル２に対して鉛直方向及び水平方向に移動可能に支持された被検眼Ｅ1 ，Ｅ2 が覗き込む自覚式検眼用の検眼ユニット７とを備えている。
【００２３】
また、横アーム６の突出端部からは、例えば電磁式のロック機構を搭載した操作アーム８が突出され、操作アーム８を操作することで、横アーム６とともに検眼ユニット７の支柱５を支軸として図１に示す矢印ａ、ｂ方向に回動させ、検眼ユニット７を図１に示す検眼位置とこの検眼位置から９０度程度回動した非検眼位置とに移動可能としている。
【００２４】
検眼ユニット７は、右眼用の右眼ユニット９と、左眼用の左眼ユニット１１とからなる分離配置に構成されるとともに、横アーム６に連結される調整機構部１２により図１に示す矢印方向（水平方向）にスライド可能となっている。
【００２５】
また、検眼ユニット７の右眼ユニット９、左眼ユニット１１は、各々右眼用、左眼用の検眼窓１３、１４を備え、さらに、被検者の被検眼Ｅ1 ，Ｅ2 を検眼窓１３、１４に対置させた際の前眼部の位置を確認するための前眼部観測系１５，１６が各眼用に設けられている。
【００２６】
また、右眼ユニット９及び左眼ユニット１１の例えば５ｍ前方（検者側）には、ランドルト環、視力値チャート等の被検眼Ｅ1 ，Ｅ2 の視機能検査用の各種の視標１７１ａを提示する視標提示部１７１を正面に備えた視標提示装置１７が配置される（図８参照）。
【００２７】
なお、検眼ユニット７の被検者側の面の所定の部位には、被検者の額を当てて固定するための額当接部１８が設けられている。また、支柱６の上端部には装置全体を照明するための照明装置１９が取り付けられている。
【００２８】
また、操作部３には、ランドルト環、視力値チャート等の各種の視標を設定する視標設定部や、左眼用及び右眼用の検眼レンズの球面度数、円柱度数等を設定するための各種キー、電源オンフキー、被検眼Ｅ1 ，Ｅ2 の前眼部を照明するためのＬＥＤ操作キー等が設けられている。
【００２９】
表示部４には、表示面に、球面度数、円柱度数、軸角度、瞳孔間距離（ＰＤ）等を表示する数値示部や、検査項目の表示、球面度数等の切替え操作を行う操作エリア、プリズム角度の設定等の各種機能設定を行う機能選択エリア、完全矯正視力測定用等の視力値チャート、レッドグリーンチャート、クロスシリンダテストチャート、乱視テストチャート等に各々対応した複数の視標を一覧的に表示する検眼チャート表示欄等が表示されるようになっている。
【００３０】
検眼ユニット７は、図３に示すように、右眼用の右眼ユニット９、左眼用の左眼ユニット１１の内部には、ディスク毎に球面レンズ、円柱レンズ、さらには、プリズムレンズというように種類が異なり、かつ、個々に度数が異なるレンズ群が各々円形配置にならべられた複数枚のディスクからなるディスク群２１、２２を同軸配置に内蔵し、前記複数枚のディスクを後述するユニット駆動部２３により回転駆動して、複数のレンズにより所定の度数を合成し、右眼ユニット９、左眼ユニット１１の各検眼窓１３，１４に臨ませるようになっている。
【００３１】
また、前眼部観測系１５（１６）は、同図に示すように、被検眼Ｅ1 （Ｅ2 ）が対置される検眼窓１３（１４）の周囲に設けられ、被検者の前眼部を均一に照明する照明部１５ａ（１６ａ）と、検眼窓１３（１４）の軸方向（被検者の視線方向）に対して水平面上外側直角方向に、前眼部からの光を取り入れる入射窓１５ｂ（１６ｂ）と、この前眼部からの光の向きを略直角方向に変える平板状のミラー１５ｃ（１６ｃ）と、前眼部からの光を前方（検者側）に取り出す出射窓１５ｄ（１６ｄ）とを有している。
【００３２】
照明部１５ａ（１６ａ）は、図４乃至図７に示すように、例えば円環状に等角度間隔で配置された６個の発光素子としてのＬＥＤ１５ｐ（１６ｐ），１５ｐ  （１６ｐ），…と、アクリル樹脂製の透明な被覆部材１５ｑ（１６ｑ）とを有している。
【００３３】
被覆部材１５ｑ（１６ｑ）は、内部にＬＥＤ１５ｐ（１６ｐ）を収納するための溝部１５１ｒ（１６１ｒ）を有し断面が略Ｕ字形の円環状回転体である被覆部１５１ｑ（１６１ｑ）と、被覆部１５１ｑ（１６１ｑ）と同軸で被覆部１５１ｑ（１６１ｑ）の内部側から延設され、外径が検眼窓１３（１４）の開口の径と略等しく、この開口に嵌合される短円筒状の嵌合部１５２ｑ（１６２ｑ）と、検眼窓１３（１４）の開口を塞ぐ円盤状のレンズカバー１５３ｑ（１６３ｑ）とからなり、被覆部１５１ｑ（１６１ｑ）の溝部１５１ｒ（１６１ｒ）にＬＥＤ１５ｐ（１６ｐ）が収納され被覆部１５１ｑ（１６１ｑ）の開口側端面が検眼窓１３  （１４）の周囲の検眼ユニット本体の後面に当接した状態で、嵌合部１５２ｑ  （１６２ｑ）が検眼窓１３（１４）の開口部に嵌め込まれて固定されている。
【００３４】
なお、被覆部材１５ｑ（１６ｑ）は、検眼ユニット本体に着脱可能に取り付けられる。
【００３５】
ここで、溝部１５１ｒ（１６１ｒ）の内壁のＬＥＤ１５ｐ（１６ｐ）の頂部に相対する拡散部位１５１ｓ（１６１ｓ）には、図７に示すように、微細なカット加工が施されている。
【００３６】
次に、自覚式検眼装置１の電気的構成について説明する。
【００３７】
自覚式検眼装置１は、図９に示すように、所定の動作プログラムに従って全体を制御する制御部３１と、この制御部３１の動作プログラムを格納したプログラムメモリ３２と、各種検眼情報を記憶する記憶部３３と、上述した操作部３と、表示部４と、検眼ユニット７のディスク群２１、２２を駆動するユニット駆動部２３と、ＬＥＤ１５ｐ，１６ｐとを有している。
【００３８】
次に、自覚式検眼装置１の動作について説明する。
【００３９】
まず、被検者が検眼ユニット７の検眼窓１３、１４に両被検眼Ｅ1 ，Ｅ2 を臨ませ、額を額当接部１８に当てて頭部を固定する。額が額当接部１８へ接触すると図示せぬセンサによって検知され、ランプ点灯等によって検者に対して知らせられる。
【００４０】
次に検者は、図示せぬＬＥＤ操作キーによって、制御部３１を介してＬＥＤ１５ｐ，１６ｐを点灯させ、被検眼Ｅ1 ，Ｅ2 の前眼部を照明する。
【００４１】
ここで、ＬＥＤ１５ｐ（１６ｐ）から発せられた光は、被覆部１５１ｑ（１６１ｑ）内面の微細なカット加工が施された拡散部位（拡散面）１５１ｓ（１６１ｓ）で乱反射し、さらに被覆部１５１ｑ（１６１ｑ）の両境界面で多重反射して、被検眼Ｅ1 （Ｅ2 ）側に達する。
【００４２】
これによって、各ＬＥＤ１５ｐ（１６ｐ）から発せられた光は、広範囲に散乱されて、ＬＥＤ１５ｐ（１６ｐ）が配設された部位を含む被覆部１５１ｑ（１６１ｑ）の比較的広い領域から射出されることとなる。
【００４３】
ＬＥＤ１５ｐ（１６ｐ）によって照明された被検眼Ｅ1 （Ｅ2 ）の前眼部からの光の一部は、光路Ｙ1 （Ｙ2 ）に沿ってまず入射窓１５ｂ（１６ｂ）から取り入れられ、平板状のミラー１５ｃ（１６ｃ）において、略直角方向に向きを変え、出射窓１５ｄ（１６ｄ）から前方に取り出されて、検者によって観測される。これによって、検者は、両被検眼Ｅ1 ，Ｅ2 が検眼ユニット７に対して正しく対置しているかどうか、例えば角膜頂点と検眼ユニット７の検眼窓開口端との間の距離が適正であるかどうか確認して、上記距離が適正な値となるように、装置の調節を行う。
【００４４】
この間、被検者は、ややぼやけてリング状の柔らかい印象の照明光を受け、光源のＬＥＤ１５ｐ（１６ｐ）へ強い注意が向くことなく楽な状態を維持して検査を受けることができる。
【００４５】
この後、検者は、検眼テーブル２上に載置された操作部３を用いて、被検眼Ｅ1 ，Ｅ2 の状態に応じて、検眼ユニット７内の光学系の調整を行う。
【００４６】
検者により操作部３が操作されると、制御部３１の制御の下でユニット駆動部２３がディスク群２１、２２を駆動させ、各レンズ及びフィルタからなる光学系を所定の光学的配列に切り替える。
【００４７】
被検者は、こうして設定された光学系を介して、例えば、視標提示装置１７の視標提示部１７１に提示されたランドルト環１７１ａ等を光路Ｘ1 ，Ｘ2 に沿った向きに視認し、検者の指示に従いながら一連の視機能検査を受ける。
【００４８】
以上説明したように、本実施の形態１によれば、ＬＥＤ１５ｐ，１６ｐは光透過性の被覆部材１５ｑ，１６ｑで覆われているので、ＬＥＤ１５ｐ，１６ｐから発せられる光は散乱によってややぼやけてリング状の柔らかい印象の照明光となるため、不快感や恐怖感が和らぎ、被検者は安心してリラックスした状態で視機能検査を受けることができる。
【００４９】
しかも、ＬＥＤ１５ｐ，１６ｐから発せられる光は、被覆部材のカット加工された拡散部位１５１ｓ，１６１ｓで乱反射して被検眼Ｅ1 ，Ｅ2 に達するので、一段と柔らかい印象の照明光となる。
【００５０】
したがって、光源のＬＥＤ１５ｐ，１６ｐへの注意も逸れるので、機械近視の影響も低減され、正確に視機能検査を行うことができる。
【００５１】
また、ＬＥＤ１５ｐ，１６ｐは被覆部材１５ｑ，１６ｑで覆われ密閉状態とされるので、埃等も溜まり難く清掃も簡単であり、清潔感を増進させることができる。
【００５２】
また、ＬＥＤ１５ｐ，１６ｐが配置された部位以外からも光が例えば多重反射されて射出されてくるので、少数のＬＥＤ１５ｐ，１６ｐでも均一に照明することができる。
【００５３】
また、被覆部材１５ｑ，１６ｑの材料としてアクリル樹脂を用いているので、材料費が安価であると共に、弾性を利用して若干変形させて嵌め込む等の簡単な方法での取付けが可能であり、ビス等の固定具や支持金物は不要である。また、着脱自在であるので交換も簡単に行うことができる。
実施の形態２．
図１０は本発明の実施の形態２による自覚式検眼装置の照明部の要部の構成を一部破断して示す斜視図、図１１は図１０のＦ−Ｆ線に沿った断面図である。
【００５４】
この実施の形態２が上述した実施の形態１と異なるところは、実施の形態１においては、ＬＥＤ１５ｐ（１６ｐ）を覆う被覆部１５１ｑ（１６１ｑ）と、検眼窓１３（１４）の開口を塞ぐレンズカバー１５３ｑ（１６３ｑ）とを別々の部材を用いて構成していたのに対して、図１０及び図１１に示すように、略円板状の被覆板４１ｑ（４２ｑ）が両機能を兼ねるように構成した点である。
【００５５】
この実施の形態２の照明部４１ａ（４２ａ）は、図１０及び図１１に示すように、円環状に等角度間隔で配置された６個のＬＥＤ４１ｐ（４２ｐ）と、ＬＥＤ４１ｐ（４２ｐ）を覆うと共に検眼窓１３（１４）の開口を塞ぐ例えばアクリル樹脂製の透明な略円板状の被覆板４１ｑ（４２ｑ）とを有している。
【００５６】
被覆板４１ｑ（４２ｑ）においては、同図に示すように、ＬＥＤ４１ｐ（４２ｐ）が対置される側縁部は、断面段状にカット加工され、ＬＥＤ４１ｐ（４２ｐ）から発せられた照明光を乱反射させる拡散部位４１１ｓ（４１２ｓ）を構成している。
【００５７】
本実施の形態２によれば、実施の形態１で述べたのと略同一の効果を得ることができる。
【００５８】
加えて、単一の被覆板４１ｑ，４２ｑが、ＬＥＤ４１ｐ，４２ｐを覆って照明光を乱反射させると共にレンズカバーとしての機能も果たすので、材料コストを低減することができる。
実施の形態３．
図１２は本発明の実施の形態３による自覚式検眼装置の照明部の要部の構成を一部破断して示す斜視図、図１３は図１２のＧ−Ｇ線に沿った断面図である。
【００５９】
この実施の形態３が上述した実施の形態２と異なるところは、図１２及び図１３に示すように、一旦照明方向を変える間接照明とした点である。
【００６０】
この実施の形態３の照明部５１ａ（５２ａ）は、図１２及び図１３に示すように、主として検眼窓１３（１４）の軸に対する横断面に平行な方向に光を発するように横を向けた状態で、円環状に等角度間隔で配置された６個のＬＥＤ５１ｐ（５２ｐ）と、ＬＥＤ５１ｐ（５２ｐ）から発せられた照明方向を変えると共に検眼窓１３（１４）の開口を塞ぐ例えばアクリル樹脂製の透明な略円板状の被覆板５１ｑ（５２ｑ）とを有している。
【００６１】
被覆板５１ｑ（５２ｑ）は、同図に示すように、略円板状の部材が表面部を残して内部を抉り取られて断面台形状の凹部が形成されてなり、ＬＥＤ５１ｐ（５２ｐ）から到来する照明光は、境界面となる内壁面５１１ｓ（５２１ｓ）において方向を変えて被検眼Ｅ1 （Ｅ2 ）へ向けて射出される。
【００６２】
本実施の形態３によれば、実施の形態２で述べたのと略同一の効果を得ることができる。
【００６３】
加えて、ＬＥＤ５１ｐ（５２ｐ）からは横向きに光が発せられ、この光は内壁面５１１ｓ（５２１ｓ）で照射方向を変えて、間接的に被検者の被検眼Ｅ1 （Ｅ2 ）に照射されるので、一段と柔らかい印象の照明光とすることができる。
【００６４】
また、ＬＥＤ５１ｐ（５２ｐ）は横向きに配置されているので、光路Ｘ1 （Ｘ2 ）に沿った方向（奥行方向）の省スペース化に寄与することができる。
実施の形態４．
図１４は本発明の実施の形態４による自覚式検眼装置の照明部の要部の構成を一部破断して示す斜視図、図１５は図１４のＨ−Ｈ線に沿った断面図である。
【００６５】
この実施の形態４が上述した実施の形態１と異なるところは、図１４及び図１５に示すように、被覆板６１ｑ（６２ｑ）の表面側で一旦照明方向を変える間接照明とした点である。
【００６６】
この実施の形態４の照明部６１ａ（６２ａ）は、図１４及び図１５に示すように、主として検眼窓１３（１４）の軸に対する横断面に平行な方向に光を発するように横を向けた状態で、円環状に等角度間隔で配置された６個のＬＥＤ６１ｐ（６２ｐ）と、ＬＥＤ６１ｐ（６２ｐ）から発せられた照明方向を変える例えばガラス製の断面略台形の中空の被覆板６１ｑ（６２ｑ）と、例えばすりガラスからなり、被覆板６１ｑ（６２ｑ）と貼り合わされ被覆板６１ｑ（６２ｑ）の開口を塞ぐカバーガラス６１ｒ（６２ｒ）とを有している。
【００６７】
被覆板６１ｑ（６２ｑ）においては、同図に示すように、外壁面６１１ｓ（６２１ｓ）が鏡面とされ、ＬＥＤ６１ｐ（６２ｐ）から到来する照明光は、この外壁面６１１ｓ（６２１ｓ）において方向を変え、カバーガラス６１ｒ（６２ｒ）で拡散されて被検眼Ｅ1 （Ｅ2 ）へ向けて射出される。
【００６８】
本実施の形態４によれば、実施の形態１で述べたのと略同一の効果を得ることができる。
【００６９】
加えて、ＬＥＤ６１ｐ（６２ｐ）からは横向きに光が発せられ、この光は外壁面６１１ｓ（６２１ｓ）で照射方向を変えて、間接的に被検者の被検眼1 （Ｅ2 ）に照射されるので、一段と柔らかい印象の照明光とすることができる。
【００７０】
また、ＬＥＤ６１ｐ（６２ｐ）は横向きに配置されているので、光路Ｘ1 （Ｘ2 ）に沿った方向（奥行方向）の省スペース化に寄与することができる。
【００７１】
以上、本発明の実施の形態を詳述してきたが、具体的な構成はこの実施の形態に限られるものではない。
【００７２】
例えば、光源を、視機能検査開始時に、角膜頂点と検眼ユニット７との間の距離が適正であるかどうかを知るために用いる場合について述べたが、視機能検査中においても、必要に応じて被検眼の前眼部の状態を観測するために用いるようにしても良い。
【００７３】
また、例えば実施の形態１においては、被覆部材１５ｑ，１６ｑを透明としたが、これを半透明として、凹凸加工を省略するようにしても良い。また、被覆部材１５ｑ，１６ｑの材質はアクリル樹脂以外の透明樹脂としても良い。また、樹脂以外にガラス等を用いても良い。ガラスを用いることによって、傷を付き難くし、歪みの発生を抑えることができる。
【００７４】
また、被覆部材１５ｑ，１６ｑにおいて、レンズカバー１５３ｑ，１６３ｑを省略するようにしても良い。
【００７５】
また、ＬＥＤ１５ｐ，１６ｐの個数はもちろん６個に限らず例えば８個でも良い。
【００７６】
また、被覆部材１５ｑ，１６ｑを検眼窓１３，１４の開口に嵌め込むようにしたが、ねじを設けて螺着させるようにしても良いし、フランジを設けて取り付けるようにしても良い。
【００７７】
また、実施の形態４においては、鏡面で反射させて照射方向を変えるようにしたが、例えば、図１６に示すように、プリズム７１ｑを用いて照射方向を変えるようにしても良い。
【００７８】
また、例えば実施の形態４において、カバーガラス６１ｒ，６２ｒを、透明な円板状部材の裏面のＬＥＤ６１ｐ，６２ｐが対置される円環状領域に、凹凸加工された透明フィルムまたは半透明フィルムを接着剤を用いて貼着して構成するようにしても良い。
【００７９】
また、カバーガラス６１ｐ，６２ｐの上記円環状領域に凹凸加工を施して拡散部位とした簡易な構成としても良い。
【００８０】
また、カバーガラス６１ｐ，６２ｐ裏面側に円環状に溝を設けてこの溝内にＬＥＤ６１ｐ，６２ｐの少なくとも一部を納めると共に、ＬＥＤ６１ｐ，６２ｐが対置される面に凹凸加工を施して拡散部位としても良い。
【００８１】
【発明の効果】
以上説明したように、請求項１記載の発明によれば、光源は光透過性の被覆部材で覆われているので、光源から発せられる光は散乱によってややぼやけて柔らかい印象の照明光となるため、不快感や恐怖感が和らぎ、被検者は安心し楽な状態で視機能検査を受けることができる。
【００８２】
したがって、光源への注意も逸れるので、機械近視の影響も低減され、正確に視機能検査を行うことができる。
【００８３】
また、光源を被覆部材で覆うので、清掃も簡単であり、清潔感を増進させることができる。
【００８４】
また、光源が配置された部位以外からも光が例えば多重反射されて射出されてくるので、少ない光源でも均一に照明することができる。
【００８５】
また、請求項２記載の発明によれば、複数の発光素子から発せられる光は散乱によってややぼやけてリング状の柔らかい印象の照明光となるため、不快感や恐怖感が和らぎ、被検者は安心して視機能検査を受けることができる。
【００８６】
また、請求項３記載の発明によれば、光源から発せられる光は被覆部材の拡散面で乱反射して被検眼に達するので、一段と柔らかい印象の照明光となり、不快感や恐怖感が和らぎ、被検者は安心して視機能検査を受けることができる。
【００８７】
また、請求項４記載の発明によれば、被覆部材は半透明媒質からなっているので、一段と柔らかい印象の照明光となり、不快感や恐怖感が和らぎ、被検者は安心して視機能検査を受けることができる。
【００８８】
また、請求項５記載の発明によれば、光源から発せられた照明光は、所定の光学素子を経由して一旦照射方向を変えて、間接的に被検眼に照射されるので、一段と柔らかい印象の照明光となり、不快感や恐怖感が和らぎ、被検者は安心して視機能検査を受けることができる。
【図面の簡単な説明】
【図１】本発明の実施の形態１による自覚式検眼装置の構成を示す検者側から見た正面図である。
【図２】同自覚式検眼装置の使用状態を示す斜視図である。
【図３】同自覚式検眼装置の構成を模式的に示す断面図である。
【図４】同自覚式検眼装置を構成する検眼ユニットを被検者側から見た背面図である。
【図５】図４のＡ部を拡大して示す拡大図である。
【図６】図５のＢ−Ｂ線に沿った断面図である。
【図７】図６のＣ部を拡大して示す拡大断面図である。
【図８】視標提示装置の構成を示す図である。
【図９】同自覚式検眼装置の電気的構成を示すブロック図である。
【図１０】本発明の実施の形態２による自覚式検眼装置の照明部の要部の構成を一部破断して示す斜視図である。
【図１１】図１０のＦ−Ｆ線に沿った断面図である。
【図１２】本発明の実施の形態３による自覚式検眼装置の照明部の要部の構成を一部破断して示す斜視図である。
【図１３】図１２のＧ−Ｇ線に沿った断面図である。
【図１４】本発明の実施の形態４による自覚式検眼装置の照明部の要部の構成を一部破断して示す斜視図である。
【図１５】図１４のＨ−Ｈ線に沿った断面図である。
【図１６】本発明の実施の形態４の変形例による自覚式検眼装置の照明部の要部の構成を一部破断して示す図である。
【図１７】従来技術を説明するための図である。
【図１８】従来技術を説明するための図である。
【図１９】従来技術を説明するための図である。
【符号の説明】
１  自覚式検眼装置
７  検眼ユニット
１３，１４  検眼窓
１５ｐ，１６ｐ，４１ｐ，４２ｐ，５１ｐ，５２ｐ，６１ｐ，６２ｐ  ＬＥＤ（光源、発光素子）
１５ｑ，１６ｑ  被覆部材
１５１ｑ，１６１ｑ  被覆部
１５１ｓ，１６１ｓ  拡散部位
４１ｑ，４２ｑ，５１ｑ，５２ｑ，６１ｑ，６２ｑ  被覆板
４１１ｓ，４１２ｓ  拡散部位
７１ｑ  プリズム（光学素子）
【図１】
0004503125.tif 000002
【図２】
0004503125.tif 000003
【図３】
0004503125.tif 000004
【図４】
0004503125.tif 000005
【図５】
0004503125.tif 000006
【図６】
0004503125.tif 000007
【図７】
0004503125.tif 000008
【図８】
0004503125.tif 000009
【図９】
0004503125.tif 000010
【図１０】
0004503125.tif 000011
【図１１】
0004503125.tif 000012
【図１２】
0004503125.tif 000013
【図１３】
0004503125.tif 000014
【図１４】
0004503125.tif 000015
【図１５】
0004503125.tif 000016
【図１６】
0004503125.tif 000017
【図１７】
0004503125.tif 000018
【図１８】
0004503125.tif 000019
【図１９】
0004503125.tif 000020